(57)【要約】【課題】  着用時の不快感があまりなく、しかも着用操作が容易な使い捨てパンツ型オムツを提供することを目的とする。【解決手段】  前身頃４１が腹部片４２とこれに続く前身頃下方片４３を備え、後身頃４４が背部片４５とこれに続く後身頃下方片４６を備える。前身頃下方片４３が、表側に位置する様に垂設される外側片４８と、肌側に位置する様に垂設される肌側片１７の２片を備える。肌側片１７の外面には第１の係合域１３が設けられ、外側片４８の肌側面には第２雄型係合部材１４が設けられ、後身頃下方片４６が、その外面に第２雄型係合部材１４と係脱可能な第３の係合域３４を有すると共に、その肌側面に第１の係合域１３と係脱可能な第４雄型係合部材１６を有する。【選択図】      図２ 
2005065791.tif 000002
【特許請求の範囲】
【請求項１】
前身頃が腹部片とこれに続く下方片を備え、後身頃が背部片とこれに続く下方片を備え、前記腹部片と前記背部片が脇線部で接合されてこれらの上縁において胴周り開口を形成し、前記腹部片に続く下方片と前記背部片に続く下方片が着脱自在に取り付けられて左右一対の脚周り開口を形成する使い捨てパンツ型オムツにおいて、
前記腹部片に続く下方片は、表側に位置する様に垂設される外側片と、肌側に位置する様に垂設される肌側片の２片を備え、
前記肌側片の外面には第１の着脱域が設けられ、前記外側片の肌側面には第２の着脱域が設けられたものであり、
前記背部片に続く下方片は、その外面に前記第２の着脱域と着脱可能な第３の着脱域を有すると共に、その肌側面に前記第１の着脱域と着脱可能な第４の着脱域を有するものであることを特徴とする使い捨てパンツ型オムツ。
【請求項２】
前記背部片に続く下方片は、吸収体を内包すると共に、着用者の股部を超えて腹部下方に至る長さを有するものである請求項１に記載の使い捨てパンツ型オムツ。
【請求項３】
前記腹側片に続く下方片における前記第２の着脱域が前記第１の着脱域よりも股下方向に配置されている請求項１または２に記載の使い捨てパンツ型オムツ。
【請求項４】
前記肌側片は保形部材を備え、
前記肌側片の外面であって前記保形部材に対応する位置に前記第１の着脱域が設けられたものである請求項１〜３のいずれかに記載の使い捨てパンツ型オムツ。
【請求項５】
前記保形部材が吸収体である請求項４に記載の使い捨てパンツ型オムツ。
【請求項６】
前記背部片の外面に、前記第３の着脱域に着脱可能な第５の着脱域が設けられたものである請求項１〜５のいずれかに記載の使い捨てパンツ型オムツ。
【発明の詳細な説明】
【技術分野】
【０００１】
本発明は、使い捨てパンツ型オムツに関するものであり、乳幼児用としてはもとより、成人用等としても用いることができる。
【背景技術】
【０００２】
使い捨てオムツは、平板状のオムツ展開体から使用時に左右翼部及び股部を綴じ合わせて着用させる展開型オムツと、パンツの形状をしたパンツ型オムツに大別される。該パンツ型オムツは着用操作が立ち姿勢で容易に行え、また成人着用者にとっては下着感覚で着用できて抵抗感が比較的小さいといった利点を有することから、近年普及が進んでいる。
【０００３】
ところでパンツ型オムツは、これを取り替える際に、外側に着用しているズボンやタイツを一旦脱いで、汚れたパンツ型オムツを新しいパンツ型オムツに取り替え、再びズボン等を着用するという手順で替えなければならないことから、取り替えに手間を要する。
【０００４】
そこで特許文献１では、パンツ型オムツの股部分を開閉自在としたものが提案されており、具体的には図１２〜１４［図１２は従来の使い捨てパンツ型オムツ（その１）７７の斜視図、図１３はその縦断面、図１４はその着用手順を説明する為の斜視図］に示す様に該パンツ型オムツ７７は、前身頃７１の下方片７２と後身頃７３の下方片７４とを着脱可能に取り付ける様にしたものであり（ループ状部材７８にフック状部材７９を係合する）、下方片７２，７４を係合させた際には左右一対の脚周り開口５３がそれぞれ形成され、下方片７２，７４の係合を外した際には左右の脚周り開口５３が一続きの開口７６となる（即ちオムツが筒状になる）ものである。尚これら前・後身頃７１，７３（特に下方片７２，７４の部分）には吸収体７５がそれぞれ設けられている。
【０００５】
該パンツ型オムツ７７は着用に際して、膝下までずり下ろしたズボン等の上から、股部分を開けた状態のパンツ型オムツ７７を通してウエスト部分まで引き上げ（図１４）、次いでオムツの股部分を閉じた後（図１２，１３）、上記ずり下ろしたズボン等を引き上げる様にするというものであり、ズボン等を完全に脱いでしまう必要がなく、取り替え時の手間が省ける。該パンツ型オムツ７７を取り外す際には、左右の脇線接合部（脇線部５１）を剥離して、着用者の股間からオムツ７７を引き出せる様になっている。
【０００６】
また他に特許文献２には、股部分が開閉自在なパンツ型オムツとして、股下よりも前側（腹側）の位置を前・後身頃の下端部分６２ｂ，６２ｃ，６３ｂ，６３ｃの合わせ目とし、前身頃６２の下端部分６２ｂの肌側面に第１下部係合域６４、及びこの第１下部係合域６４よりも上方６２ｃに第１上部係合域６５を設け、また後身頃６３の下端部分６３ｂの肌側面に第２係合域６６、及びこの第２係合域６６よりも上方６３ｃであって後身頃６３の外面に第３係合域６７を設けたものが示されている（図１０：従来の使い捨てパンツ型オムツ（その２）の斜視図、図１１：図１０に示すＡ−Ａ線断面図）。
【０００７】
着用に際しては、前身頃６２の下方部分を捲り上げて第１上部係合域６５と後身頃６３肌側面の第２係合域６６を係合し（図９：従来の使い捨てパンツ型オムツ（その２）の着用手順を説明する為の斜視図）、次いで上記後身頃６３の下端部分６３ｂ（第２係合域６６の存在する部分）を外側に折り返すと共に、捲り上げていた前身頃６２を戻し、前身頃６２の第１下部係合域６４と後身頃６３外面の第３係合域６７を係合させるというものである（図１０，１１）。
【０００８】
特許文献１のパンツ型オムツ７７では、股部において分厚い吸収体が重なる様にして合わせ目（図１２，１３にＫで矢視する部分）が形成されるから股下がごろつき、また身頃シートの端縁がデリケートな股部の肌に当接して不快に感じる懸念があるが、特許文献２のパンツ型オムツ６０では合わせ目が前寄りになっているから、股下のごろつきが解消され、また後身頃６３の下端部分６３ｂが折り返されて肌には身頃シートがループ状となって当接するので、不快な刺激を与え難いというものである。
【特許文献１】特開平９−５６６号公報（特に図１〜３、段落〔００１１〕，〔００２３〕）
【特許文献２】特開２００１−２５２３０４号公報
【発明の開示】
【発明が解決しようとする課題】
【０００９】
しかしながら上記特許文献２のパンツ型オムツ６０においても、後身頃６３の下端部分６３ｂを折り返す際に、下端部分６３ｂを浅く折り返してしまうと、係合する第１上部係合域６５と第２係合域６６の上端が着用者の肌に当接することになり、これら係合域６５，６６に用いる係合部材は一般にゴワゴワと硬いので、不快な刺激を与える虞がある。また逆に後身頃６３の下端部分６３ｂを深く折り返してしまうと、後身頃６３に設けられた吸収体６８の部分を折り曲げてしまうことになり、該折り曲げ箇所が分厚くなって大きな段差を生じ、着用者に不快感を与える懸念がある。この為に、後身頃下端部分６３ｂの折返し操作に際しては、適切な位置で折り返す様に注意深く調節しながら行う必要があり、操作が煩雑となるという問題がある。
【００１０】
加えて特許文献２のオムツ６０では、吸収体６８が便等の排泄物を受け止めて重量が重くなると、着用者が立位姿勢のとき下側に向かって力が掛かり、この力の方向は外側に折り返された第１上部係合域６５を剥がす方向、即ち第１上部係合域６５と第２係合域６６の剥離方向とほぼ同じであるから、第１上部係合域６５と第２係合域６６の係合力で上記重量を受け止めることは期待できない。この為第１下部係合域６４と第３係合域６７の係合力のみで受け止めることとなるので、重くなった吸収体６８を支える力が弱く、最悪の場合には股部の係合が外れてしまう懸念さえある。
【００１１】
そこで本発明は上述の問題に鑑みてなされたものであり、ズボン等の外衣を完全に脱がずにずり下ろすだけで着用することができるパンツ型オムツでありながらも、着用時の不快感があまりなく、しかも着用操作が容易な使い捨てパンツ型オムツを提供することを目的とする。
【課題を解決するための手段】
【００１２】
本発明に係る使い捨てパンツ型オムツは、前身頃が腹部片とこれに続く下方片（以下、前身頃下方片と称することがある）を備え、後身頃が背部片とこれに続く下方片（以下、後身頃下方片と称することがある）を備え、前記腹部片と前記背部片が脇線部で接合されてこれらの上縁において胴周り開口を形成し、前記腹部片に続く下方片（前身頃下方片）と前記背部片に続く下方片（後身頃下方片）が着脱可能に取り付けられて左右一対の脚周り開口を形成する使い捨てパンツ型オムツにおいて、前記腹部片に続く下方片（前身頃下方片）が、表側に位置する様に垂設される外側片と、肌側に位置する様に垂設される肌側片の２片を備え、前記肌側片の外面には第１の着脱域が設けられ、前記外側片の肌側面には第２の着脱域が設けられたものであり、前記背部片に続く下方片（後身頃下方片）が、その外面に前記第２の着脱域と着脱可能な第３の着脱域を有すると共に、その肌側面に前記第１の着脱域と着脱可能な第４の着脱域を有するものであることを特徴とする。
【００１３】
本発明のパンツ型オムツは、前身頃下方片における外側片と肌側片の間に後身頃下方片を挟む様にして、第２の着脱域と第３の着脱域、第１の着脱域と第４の着脱域をそれぞれ取り付けて着用するものであり、第１〜４の各着脱域は肌側片や後身頃下方片によって着用者の肌から見て隠れることとなり、この様に一般的に肌を刺激し易い着脱域がいずれも使用者の肌に直接当たらないから、着用感を損ねることがない。具体的に説明すると、第１〜４の着脱域には、着脱部材の代表例である面ファスナー等の機械的係合部材を用いることが想定され、殊に機械的係合部材のうちの雄型係合部材は一般に堅く、肌に刺激を与える虞があるが、上記の如く着脱域は使用者の肌に直接当たらないから、不快な刺激を受けることがない。
【００１４】
加えて後身頃下方片や前身頃下方片を折り返した状態で着用する訳ではないから、特許文献２の様に後身頃下方片に設けられた吸収体が折り曲げられて分厚くなるという懸念もない。加えて着用操作にあたり、上記特許文献２のパンツ型オムツ６０の様に後身頃下方片の折り返す位置を微妙に調整するという必要がなく、本発明では後身頃下方片を挟む様にするだけであり、簡単である。
【００１５】
更に吸収体が排泄物を受け止めて重くなったとき、上記第２，第３の着脱域の取付箇所及び上記第１，第４の着脱域の取付箇所に加わる力は、該取付箇所をスライドさせる方向であり、着脱域に一般的に用いられる面ファスナーにとってスライドさせる方向は、剥離に対して最も強力に抵抗し得る方向であるから、これら着脱域の取付（係合）が外れる懸念が殆どない。
【００１６】
なお上記肌側片は着用者の肌に当接するものであるから、柔らかな素材で構成することが望ましい。また肌側片の下縁も、例えば下縁をループ状にする等して、皮膚刺激のない様にすることが望ましい。
【００１７】
但し、あまりに肌側片が柔らか過ぎると、第１の着脱域に第４の着脱域を取り付ける操作に際し、肌側片が折れ曲がる等して操作し難くなる懸念がある。そこで肌側片における第１の着脱域の下地として保形部材を設ける、即ち、前記肌側片が保形部材を備え、前記肌側片の外面であって前記保形部材に対応する位置に前記第１の着脱域が設けられたものであることが好ましい。これにより肌側片の折れ曲がりが防止され、取り付け易くなる。しかも保形部材の位置を取付箇所の目安とすることもでき、装着ミスを防止することもできる。
【００１８】
また本発明において、後身頃下方片（背部片に続く下方片）を、着用者の股部を超えて腹部下方に至る長さを有するものとし、この後身頃下方片に吸収体を内包させたものとすることが好ましい。
【００１９】
これにより前身頃下方片と後身頃下方片の合わせ目が着用者の腹部側に位置する様になり、股下がすっきりして着用感が向上する。加えて成人が着用する場合には自身で着用操作を行うことがあるが、この際、第２，第３の着脱域の取付操作及び第１，第４の着脱域の取付操作を腹部側で行うことができ、操作性が良い。
【００２０】
なお後身頃下方片が股部を超えて腹部下方に至る長さのものの場合には、前身頃下方片に吸収体を設けなくても良いが、この場合であっても更に前記肌側片に吸収体を設けたものとすることが好ましい。後身頃下方片の吸収体の腹側端部分から尿等が仮に滲み出しても、肌側片に設けられた吸収体によって補完的に吸収することができ、漏れ防止を強化することができるからである。またこの場合において、前記保形部材が吸収体であることが合理的であり、保形部材が尿等の吸収と肌側片の形状保持という両方の役割を果たし、部品点数を少なくすることができる。
【００２１】
尚本発明においては、上述の様に後身頃下方片のみに吸収体を設ける場合や後身頃下方片及び前身頃下方片の両方に吸収体を設ける場合に限るものではなく、前身頃下方片を股部を超えて背側下方に至る長さとし、この前身頃下方片のみに吸収体を設けたものであっても良く、要は尿等の排泄物を受け止める為に股部分に吸収体が位置する様にすれば良い。
【００２２】
更に本発明のパンツ型オムツにおいて、各着脱域の位置として、前身頃下方片（腹側片に続く下方片）における前記第２の着脱域が前記第１の着脱域よりも股下方向に配置されていることが好ましい。尚これに対応して後身頃下方片における第３の着脱域と第４の着脱域を配置する。
【００２３】
着脱域は係合部材等によって厚みが増す傾向にあり、第２，第３の着脱域の取付（係合）と、第１，第４の着脱域の取付（係合）の２つが重なっていると、ごろつく虞があるが、上記の如く高さ方向にずれて配置されていると、２つの取付箇所がずれて位置することになるので、ごろつくことが殆どない。また表側の外側片に設けられた第２着脱域の方が下方に位置するから、第１着脱域の部分を外側片が覆い隠す様になり、見栄えが良い。加えて第２，第３の着脱域と第１，第４の着脱域が重なって位置していると、第２，第３の着脱域の止着及び第１，第４の着脱域の止着を解いて表側の外側片を下方に下げたとき（後述の図３参照）、第２の着脱域（第２雄型係合部材１４参照）が第１の着脱域（第１の係合域１３参照）にくっついてしまい、再度このパンツ型オムツの着脱域を正しく取り付けて着用するのに際して（第２の着脱域と第３の着脱域を止着、第１の着脱域と第４の着脱域を止着）、一旦上記第２の着脱域と第１の着脱域の止着を外す操作が必要となる懸念があるが、上記の如く高さ方向にずれて配置されていると、第２の着脱域と第１の着脱域がくっつく虞がない。
【００２４】
加えて本発明においては、前記背部片の外面に、前記第３の着脱域に着脱可能な第５の着脱域が設けられたものであることが好ましい。
【００２５】
例えば成人が着用する場合には使い捨てパンツ型オムツを使用しつつも、便器に座って用をたすことがある。また乳幼児においてもトイレでの排便習慣の訓練の為にパンツ型オムツを使用しつつも、便器に座って用をたすことがある。このとき前身頃下方片と後身頃下方片の取付を外すと、これら下方片は下に垂れ、便器内の溜まり水に浸かる懸念がある。前身頃下方片は浸からない様に手で押さえることが容易であるものの、後身頃下方片は押さえ難く、特に後身頃下方片が長い場合（股部を超えて腹部下方に至る長さの場合）は便器内の溜まり水に浸かる可能性が高い。しかし上述の様に背部片の外面に第５の着脱域を設けておけば、後身頃下方片を背側へ折り返し、後身頃下方片の第３の着脱域を第５の着脱域に取り付けて保持することにより、溜まり水に浸からない様にすることができる。
【発明の効果】
【００２６】
本発明に係る使い捨てパンツ型オムツは、着用操作を注意深く行わなくても、着脱域が肌に当たらず、また吸収体が折れ曲がって分厚くなることもなく、着用感が良く、しかも簡単に着用できる。加えて吸収体が排泄物を受け止めて重くなったときも、前身頃下方片と後身頃下方片の取付が外れる懸念が殆どなく、安心して着用できる。
【発明を実施するための最良の形態】
【００２７】
＜実施形態１＞
図１は本発明の実施形態１に係る使い捨てパンツ型オムツ５０を示す正面図であり、図２は図１に示すＢ−Ｂ線断面図である。また図３，４はこの使い捨てパンツ型オムツ５０の着用手順を説明する為の正面図であり、図５はこの使い捨てパンツ型オムツ５０の両脇線部５１を外して展開した状態を表す肌側面からの図、図６は図５に示すＣ−Ｃ線断面図、図７は図５に示すＤ−Ｄ線断面図である。
【００２８】
該パンツ型オムツ５０は前身頃４１と後身頃４４からなり、前身頃４１は腹部片４２とこれに続く前身頃下方片４３からなり、後身頃４４は背部片４５とこれに続く後身頃下方片４６からなる。
【００２９】
この後身頃下方片４６は、上記背部片４５から連続する後身頃下方片シート４７と、吸収性部材１８からなり、この吸収性部材１８は後身頃下方片シート４７の肌側面にその垂下端４７ｅを少し超えてはみ出る様に位置して取り付けられている。尚吸収性部材１８と後身頃下方片シート４７は接着剤３２によって固定されている。この後身頃下方片４６は着用者の股部を超えて腹部下方に至る長さとなっている。
【００３０】
上記背部片４５及び後身頃下方片シート４７は後側内装シート２８ａと後側外装シート２８ｂのそれぞれ一続きのシートが積層されて構成されたものであり、これらシート２８ａ，２８ｂの間にウエスト用弾性部材１０及び後側脚用弾性部材１２が挟まれる様にして接着されている（尚シート２８ａ，２８ｂのいずれかの端縁を折り返してウエスト用弾性部材１０を挟む様にしても良い）。後側外装シート２８ｂは、後述の雄型係合部材（第２の着脱域）１４（例えばフック型係合部材）が係合可能な不織布からなる。なお当該不織布としては、後述する様にスパンボンド不織布やポイントボンド不織布，エアースルー不織布等が挙げられ、要は雄型係合部材１４と係合可能であれば良い。尚この後側外装シート２８ｂにおける後身頃下方片シート４７の下側部分が第３の着脱域（第３の係合域３４）となる。
【００３１】
上記吸収性部材１８は肌側に透液性のトップシート２０、外側に不透液性のバックシート２１を配置して、これらシート２０，２１の間に吸収性コア（吸収体）１９を挟んだ構造となっており、更に吸収性部材１８の長手方向の両側縁部分には側縁取付シート２６が取り付けられ、この側縁取付シート２６に挟み込まれる様にして股下用弾性部材２５が配置されている。また吸収性部材１８の両側縁近傍にはその肌側に不透液性の横漏れ防止シート２２が取り付けられている。この横漏れ防止シート２２の中央側端縁２２ａは自由端になっており、この中央側端縁２２ａ部分に立体ギャザー用弾性部材２４が取り付けられ（長手方向側縁に弾性部材２４が配されることとなる）、使用時の様に吸収性部材１８が内側に湾曲した状態のとき、中央側端縁２２ａが立ち上がり、横漏れしない様に堰き止める構成となっている。尚図示例では側縁取付シート２６と横漏れ防止シート２２が連続した一片のシートより構成されたものを示しているが、これらシート２６，２２を別々のシートにより構成しても良い。
【００３２】
また横漏れ防止シート２２の垂下端４６ｅの両角部分にはその肌側面に雄型係合部材１６（例えばフック型係合部材）が取り付けられている。この２つの雄型係合部材１６が第４の着脱域となる。尚以下、この係合部材１６を第４雄型係合部材１６と称することがある。
【００３３】
上記前身頃４１の前身頃下方片４３は肌側片１７と外側片４８の２片に分かれており、肌側片１７は外側片４８よりも短く、外側片４８は肌側片１７の外側面を覆う位置であり、肌側片１７が外観から隠れる様になる。腹部片４２及び外側片４８は前側内装シート２７ａと前側外装シート２７ｂのそれぞれ一連のシートが積層されて構成されたものであり、これらシート２７ａ，２７ｂの間にウエスト用弾性部材１０及び前側脚用弾性部材１１が挟まれる様にして接着されている（尚シート２７ａ，２７ｂのいずれかの端縁を折り返して弾性部材１０，１１を挟む様にしても良い）。外側片４８の垂下端４８ｅの近傍にはその肌側面に雄型係合部材１４が取り付けられている。この雄型係合部材１４が第２の着脱域となる。尚以下、この係合部材１４を第２雄型係合部材１４と称することがある。
【００３４】
上記肌側片１７は、吸水性を有する保形部材１５（例えば上記吸収性コア１９と同じ素材でサイズの小さいものを用いると良い）を肌側の肌側片肌面シート２９と外側の肌側片外面シート４９で挟んだものであり、この肌面シート２９及び外面シート４９の上端部分１７ｕが上記腹部片４２に接続された構造となっている。上記保形部材１５の肌側片１７における位置は、左右方向としてはその中央であり、高さ方向としては下方部分である。肌面シート２９は透液性であり、また肌側片外面シート４９は上記第４雄型係合部材１６が係合可能な不織布からなる。当該不織布としては、上記と同様にスパンボンド不織布等が挙げられ、要は第４雄型係合部材１６と係合可能であれば良い。尚この肌側片外面シート４９において保形部材１５の位置する箇所が第１の着脱域（第１の係合域１３）となる。また保形部材１５によって肌側片１７の第１の係合域１３が撓まない。更に保形部材１５の左右両側には糸状の肌側片用弾性部材３１が左右方向に肌側片肌面シート２９と肌側片外面シート４９に挟まれる様にして配置されており、この肌側片用弾性部材３１の収縮力により肌側片１７が着用者の肌に密着し易くなる。尚肌面シート２９と肌側片外面シート４９を一続きのシートから構成し、このシートで保形部材１５や肌側片用弾性部材３１を包む様に挟んでも良い。
【００３５】
また第１の係合域１３と第２雄型係合部材１４の高さ方向の位置関係としては、第２雄型係合部材１４が第１の係合域１３よりも下方に位置しており、これらが上記第３の係合域３４、第４雄型係合部材１６と係合したとき、これら２つの係合が厚み方向に重ならない様になっている。
【００３６】
前身頃４１の腹部片４２及び前身頃下方片４３の上方部分と、後身頃４４の背部片４５とは左右の脇線部５１で剥離可能に接合されており、腹部片４２，背部片４５の上縁において胴周り開口５２が形成される。また前身頃下方片４３と後身頃下方片４６を係合した際に形成される左右一対の開口が、脚周り開口５３となる。尚ウエスト用弾性部材１０によって胴周りがフィットする様になっており、前身頃４１の前側脚用弾性部材１１及び後身頃４４の後側脚用弾性部材１２と股下用弾性部材２５によって、脚繰りがフィットする様になっている。また上記脇線部５１は、股部分を開けることのできない通常の使い捨てパンツ型オムツと同様に、はき脱ぎするときには破れず、使用後に外すときには手で破れる程度に接合されたものとなっている。
【００３７】
次にパンツ型オムツ５０の各部分の素材についてより詳しく述べる。
【００３８】
前側内装シート２７ａ，後側内装シート２８ａとしては、スパンボンド不織布，メルトブロー不織布，ＳＭＳ不織布，ポイントボンド不織布，エアースルー不織布等の、通気性がある不織布材料が挙げられ、特に捲縮がかかった繊維を有するスパンボンド不織布が好適である。目付量としては１０〜３５ｇ／ｍ2が好ましい。その材料としてはポリプロピレン、ポリエチレン、ポリエステル、ナイロン、ポリアミド等が挙げられ、これらの単一成分からなる繊維であっても良いし、芯鞘型や分割型の配置とした複合繊維であっても良い。芯鞘型繊維の場合は、芯の位置を偏心させておくことにより、溶融紡糸させて延伸する際に容易に捲縮をかけることができる。また異形の断面形状としておけば、溶融紡糸して延伸する際に、空気抵抗を受けて捲縮がかかり易くなる。このうちでもポリプロピレン単一成分の繊維で、断面を異形形状とし、且つ捲縮が掛かった繊維がより好ましい。更に好ましくは、繊維同士を熱圧着する際のエンボスパターンが、２．０〜５．０ｍｍピッチで、エンボス率が６．０〜８．５％、各エンボス部分の直径が０．２〜１．５ｍｍのものである。また親水化（界面活性剤を塗布する、或いは親水性繊維（レーヨン、コットン等）を若干混ぜる）しても良い。親水化することにより、肌に当接した場合の感触がより良好になったり、また吸汗したりする効果が期待できる。
【００３９】
前側外装シート２７ｂ，後側外装シート２８ｂとしては、スパンボンド不織布，メルトブロー不織布，ＳＭＳ不織布（メルトブロー不織布を２枚のスパンボンド不織布で両側から挟み込みヒートエンボス加工して得られる不織布）等の、通気性があって撥水性である不織布材料が挙げられる。好ましくは、目付１０〜２５ｇ／ｍ2の撥水性不織布材料である。殊に後側外装シート２８ｂに、捲縮のかかった繊維を有するスパンボンド不織布や、嵩高なエアースルー不織布を用いれば第３の係合域３４の箇所において第２雄型係合部材１４と係合し易くなって好ましい。尚第３の係合域３４に相当する部分のみに第２雄型係合部材１４と係合可能な不織布や編布，織布を別付けで配置する様にしても良い。
【００４０】
肌側片１７の肌側片肌面シート２９や肌側片外面シート４９としては、透液性の不織布材料、例えばセルロース，レーヨン，コットン等の親水性繊維を用いた不織布材料、あるいは疎水性繊維（ポリプロピレン，ポリエチレン，ポリエステル，ポリアミド，ナイロン等）の表面を界面活性剤により処理して透液性とした不織布材料、また肌側面のみを親水化して通気性があり撥水性の不織布材料（スパンボンド不織布、メルトブロー不織布、ＳＭＳ不織布等）等が用いられる。殊に肌側片肌面シート２９としては、目付１０〜２５ｇ／ｍ2の疎水性繊維の表面を界面活性剤により処理して透液性とした透液性の不織布材料（ポイントボンド不織布、エアースルー不織布、スパンボンド不織布等）が好適に用いられる。また肌側片外面シート４９としては前述の様に第４雄型係合部材１６と係脱自在な不織布であることが好ましく、例えば捲縮がかかった繊維を有するスパンボンド不織布や、嵩高なエアースルー不織布が好適に用いられる。尚第１の係合域１３に相当する部分のみに、第４雄型係合部材１６と係合が可能な不織布や編布，織布を別付けで配置する様にしても良い。
【００４１】
保形部材１５としては、上述の様に吸収体を用いるのが好ましく、透水性不織布やティッシュペーパーの間に高吸水性樹脂粉末を挟んだポリマーシートや、パルプ繊維を主体としたエアレイド不織布等のシート状吸収体が最も好ましい。
【００４２】
トップシート２０としては、透液性の不織布材料が好ましく、例えば親水性繊維（セルロース，レーヨン，コットン等）を用いた不織布材料、あるいは疎水性繊維（ポリプロピレン，ポリエチレン，ポリエステル，ポリアミド，ナイロン等）の表面を界面活性剤により処理して透液性とした不織布材料が挙げられる。好ましくは、目付１０〜２５ｇ／ｍ2の疎水性繊維の表面を界面活性剤により処理して透液性とした不織布材料（ポイントボンド不織布、エアースルー不織布）が挙げられる。
【００４３】
バックシート２１としては、撥水性不織布材料（スパンボンド不織布，メルトブロー不織布，ＳＭＳ不織布等）やプラスティックフィルム、またその複合材料が挙げられる。尚上記プラスティックフィルムは通気性であっても非通気性であっても良いが、より好適な態様としては通気性プラスティックフィルムが望ましい。より好ましくは目付１５〜４０ｇ／ｍ2の通気性ポリエチレンフィルムである。
【００４４】
吸収性コア１９としては、粉砕したパルプ繊維やセルロース繊維等の親水性繊維集合層に粒状の高分子吸水体を混合した吸収コアを、ティッシュペーパー等の紙シートあるいは透液性不織布シート等の被覆シートで包み、所定の形状に成形した吸収体が挙げられる。加えて、着用者が歩いたり、寝返りを打ったりしても形状を保持できる様にする目的で、親水性繊維集合体中やシートに所定の形状保持手段（ホットメルト接着剤を塗布したり、合成繊維を混合したりする）を施しても良い。また上記繊維や高分子吸水体をシート状に成形したシート状吸収体（例えばエアレイド吸収体）などを所定の形状（長方形、砂時計型等）に成形して用いても良い。
【００４５】
側縁取付シート２６や横漏れ防止シート２２の素材としては、スパンボンド不織布，メルトブロー不織布，ＳＭＳ不織布等の、通気性があって撥水性である不織布材料が挙げられ、好ましくは目付１０〜２５ｇ／ｍ2の撥水性不織布材料が挙げられる。更に側縁取付シート２６としては通気性のプラスティックフィルムやその複合材料であっても良い。
【００４６】
ウエスト用弾性部材１０，前側脚用弾性部材１１，後側脚用弾性部材１２，股下用弾性部材２５，立体ギャザー用弾性部材２４の素材としては、使い捨ておむつに一般的に用いられる弾性伸縮材料（ポリウレタン糸、ポリウレタンフィルム、天然ゴム等）を用いると良く、各種シートの間に伸張状態で、ホットメルト接着剤，熱接着，超音波接着等の好適な添設手段によって添設すると良い（添設手段としてはゴム系のホットメルト接着剤を用いることがより好ましい）。ウエスト用弾性部材１０の場合は、繊度７００〜２０００デシテックスのポリウレタン糸を、倍率２．０〜４．０倍に伸張して添設するのが好ましく、前側脚用弾性部材１１，後側脚用弾性部材１２，股下用弾性部材２５の場合は、繊度３００〜１８５０デシテックスのポリウレタン糸を、倍率１．１〜３．０倍に伸張して添設するのが好ましい。立体ギャザー用弾性部材２４の場合は、繊度３００〜２０００デシテックスのポリウレタン糸を、倍率１．１〜４．０倍に伸張して添設するのが好ましい。
【００４７】
尚各材料の接合方法としては、ホットメルト接着剤による接着、超音波シール、熱接合等の方法が挙げられる。ホットメルト接着剤としては、ゴム系，ポリオレフィン系，酢酸ビニル系等のホットメルト接着剤から適宜選択すると良く、接着剤の塗布方法としては、接着剤排出ノズルを接触させつつ塗布する方法、カーテンスプレーコータによるメルトブロー法やスパイラルスプレー法等の非接触式塗工法で網状に塗布する方法、ビード塗布法等が挙げられる。脇線部５１については、熱接合による接合が好ましい。
【００４８】
次にこの実施形態１のパンツ型オムツ５０の着用方法について述べる。
【００４９】
着用に際して、まずパンツ型オムツ５０の前身頃下方片４３と後身頃下方片４６の股部分を開ける（図３）。尚前身頃下方片４３と後身頃下方片４６が予め係合された製品の場合には、この係合を解いて開ける様にする。そして膝下までずり下ろしたズボン等の上から、上記股部分を開けた状態のパンツ型オムツ５０を通し、該オムツ５０のウエスト用弾性部材１０の位置が着用者のウエスト部分に来るまで引き上げる。次いで後身頃下方片４６を股の間から通し、図４に示す様に前身頃４１の外側片４８を捲り上げて肌側片１７の第１の係合域１３を露出させ、後身頃下方片４６の第４雄型係合部材１６を該第１の係合域１３に押し当てる。このとき第４雄型係合部材１６のフック部が第１の係合域１３のループ部に機械的に係合されることとなる。続いて図１に示す様に、上記捲り上げた外側片４８を戻し、外側片４８の第２雄型係合部材１４を後身頃下方片４６の第３の係合域３４に押し当てて、第２雄型係合部材１４のフック部を第３の係合域３４のループ部に機械的に係合させる。これによりパンツ型オムツ５０の着用が完了する。その後、上記ずり下ろしたズボン等を引き上げる。尚各図において着用者は省略して図示している。
【００５０】
オムツ５０の着用状態としては、図２に示す様に、後身頃下方片４３が前身頃４１の肌側片１７と外側片４８の間に挟まれた状態であり、吸収性コア１９（吸収性部材１８）や保形部材１５が折り曲げられることがないから、折り曲げにより肉厚となってごろつくという虞がない。また第１の係合域１３と第４雄型係合部材１６の係合、及び第２雄型係合部材１４と第３の係合域３４の係合は、肌側片１７や後身頃下方片４６によってカバーされていずれも肌には接しないから、係合部材によって肌に不快な刺激を与える虞がない。
【００５１】
加えて吸収性部材１８が排泄物を受け止めて重くなったとき、第１の係合域１３と第４雄型係合部材１６の係合、及び第２雄型係合部材１４と第３の係合域３４の係合に対しては、これらの係合面をスライドさせる方向に力が加わることになり、上記２つの係合はこのスライド方向に対して非常に大きな抵抗力を発揮するから、容易に外れることがない。
【００５２】
パンツ型オムツ５０を取り外す際には、まずズボン等をずり下ろし、次いで左右の脇線部５１の両方を剥離し、着用者の股間からオムツ５０を引き出す。若しくは同じくズボン等をずり下ろした後、左右の脇線部５１の一方を剥離し、更に上記第２雄型係合部材１４と第３の係合域３４の係合を外し、また上記第１の係合域１３と第４雄型係合部材１６の係合を外して前身頃下方片４３と後身頃下方片４６の股部分を開け、後身頃下方片４６を着用者の股部から引き抜いて取り外す。この様に脇線部５１を剥離するという取外操作により、オムツ５０上の汚物を衣服等に接触させることなく、パンツ型オムツ５０を取り外すことができる。
【００５３】
以上の様に実施形態１の使い捨てパンツ型オムツ５０によれば、ズボン等の外衣を完全に脱がずにずり下ろすだけで、着用や取外しを行うことができ、しかも着用（装着）方法は、外側片４８を折り返して第１の係合域１３−第４雄型係合部材１６の係合を行い、外側片４８を戻して第２雄型係合部材１４−第３の係合域３４の係合を行うという手法であるから簡単であり、繊細な注意を払う必要もない。
【００５４】
＜実施形態２＞
図８は本発明の実施形態２に係る使い捨てパンツ型オムツ７０を示す縦断面図であり、後述の如く仮止めの状態を表すものである。尚図１〜７と同じ構成部分については同一の符号を付して重複説明を避ける。
【００５５】
この実施形態２のパンツ型オムツ７０は後身頃４４の背部片４５の外面に雄型係合部材３０（例えばフック型係合部材）が設けられたものであり、他の構成は上記実施形態１と同様である。この雄型係合部材３０は上記第５の着脱域となるものであり、以下、これを第５雄型係合部材３０と称することがある。
【００５６】
ところで係脱自在な前身頃下方片４３と後身頃下方片４６の係合を解いて（第２雄型係合部材１４−第３の係合域３４の係合、及び第１の係合域１３−第４雄型係合部材１６の係合を外す）、股下を開けて用をたすことが想定される。しかしこの場合において特に後身頃下方片４６は長い為に、便器内の溜まり水に浸かる懸念がある。
【００５７】
この際、実施形態２のパンツ型オムツ７０では、図８に示す様に後身頃下方片４６を背側へ折り返し、後身頃下方片４６の第３の係合域３４を上記第５雄型係合部材３０に係合させることができるので、この様に係合させて後身頃下方片４６を高い位置に保持しておけば、便器内の溜まり水に後身頃下方片４６が浸かる虞がない。尚第５雄型係合部材３０の背部片４５外面における位置としては、後身頃下方片４６の長さを勘案して、背側へ折り返した際に取り付け易い位置にする。例えば図８，５（図５においては第５雄型係合部材３０を仮想線（２点鎖線）で表す）に示す様に、背側片４５の中央付近が挙げられる。
【００５８】
以上本発明に係る使い捨てパンツ型オムツに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００５９】
例えば上記実施形態では後身頃下方片４６を長くして着用者の腹部分で、前身頃下方片４３と後身頃下方片４６の係脱が行える様に構成したものを示したが、これに限るものではなく、股下の位置や背中側で係脱が行える様に前身頃下方片４３や後身頃下方片４６の長さを調整したものであっても良い。尚この際、股下部分に吸収性部材が位置する様にする為、股下で係脱を行う構成の場合には前身頃下方片と後身頃下方片の両方に吸収性部材を設け、背中側で係脱を行う構成の場合には前身頃下方片に吸収性部材を設ける様にすると良い。
【００６０】
更に腹部片４２や背部片４５に横方向に複数のボディフィット用弾性部材を適宜配置しても良く、これにより腹部周りのフィット感が向上する。
【００６１】
また上記実施形態では保形部材１５として吸収体を用いたが、これに限るものではなく、肌側片肌面シート２９や肌側片外面シート４９よりも剛性の高い（折れ曲がり難い）材料であっても良く、具体的には目付３０〜１００ｇ／ｍ2のエアースルー不織布、目付２０〜１００ｇ／ｍ2のポリエステル繊維を用いたスパンボンド不織布、目付５０〜１００ｇ／ｍ2のＳＭＳ不織布等が挙げられる。尚保形部材１５として吸収体を用いない場合には、肌側片１７の肌側片肌面シート２９及び肌側片外面シート４９として透液性の材料を用いる必要はなく、非透液性の材料等であっても良い。
【００６２】
上記実施形態では、第１の着脱域（第１の係合域１３），第３の着脱域（第３の係合域３４）をループを備えた雌型係合部材とし、第２の着脱域（第２雄型係合部材１４），第４の着脱域（第４雄型係合部材１６）をフックを備えた雄型係合部材として、それぞれ係合させる様にしたが、雄型／雌型をそれぞれ逆にしても良い。またこの様に雄型／雌型をそれぞれ逆にした場合には、上記実施形態２における第５の着脱域（雄型係合部材３０の箇所）として雌型係合部材を取り付けるか、或いは係合部材を取り付けずに、後側外装シート２８ｂとして雄型係合部材に係合可能な不織布，編物，織物等を用いると良い。
【００６３】
加えて第１の着脱域（第１の係合域１３），第３の着脱域（第３の係合域３４）となる肌側片外面シート４９や後身頃下方片シート４７の後側外装シート２８ｂとして不織布を例に挙げたが、編物や織物等であっても良く、編地のループ部分等により雄型係合部材１４，１６を係合させることができる。また積極的にループを形成した不織布を用いても良く、しっかりしたループを有するものであれば、雄型係合部材１４，１６との係合力が強力なものとなる。更に肌側片外面シート４９や後側外装シート２８ｂに、ループを備えた編物等を別付けで貼り付け、第１，３の着脱域としても良い。
【００６４】
またその他の各種シートの材料として不織布等を挙げたが、これらも編物で構成しても良い。
【００６５】
更に上記実施形態では第１〜４の着脱域を機械的に係合させる構成のものを示したが、粘着テープと、この粘着テープを着脱自在なターゲット部材との組合せにより、これら着脱域を構成しても良い。
【００６６】
また上記実施形態では、２枚の後身頃下方片シート４７（後側内装シート２８ａと後側外装シート２８ｂ）上に吸収性本体１８を取り付ける構成のものを示したが、２枚の後身頃下方片シート４７の間に吸収コアを配する様にしたものであっても良い。
【図面の簡単な説明】
【００６７】
【図１】本発明の実施形態１に係る使い捨てパンツ型オムツを示す正面図である。
【図２】図１に示すＢ−Ｂ線断面図である。
【図３】実施形態１の使い捨てパンツ型オムツの着用手順を説明する為の正面図（その１）である。
【図４】実施形態１の使い捨てパンツ型オムツの着用手順を説明する為の正面図（その２）である。
【図５】実施形態１のこの使い捨てパンツ型オムツの両脇線部を外して展開した状態を表す肌側面からの図である。
【図６】図５に示すＣ−Ｃ線断面図である。
【図７】図５に示すＤ−Ｄ線断面図である。
【図８】本発明の実施形態２に係る使い捨てパンツ型オムツを示す縦断面図である。
【図９】従来の使い捨てパンツ型オムツ（その２）の着用手順を説明する為の斜視図である。
【図１０】従来の使い捨てパンツ型オムツ（その２）の斜視図である。
【図１１】図１０に示すＡ−Ａ線断面図である。
【図１２】従来の使い捨てパンツ型オムツ（その１）の斜視図である。
【図１３】従来の使い捨てパンツ型オムツ（その１）の縦断面である。
【図１４】従来の使い捨てパンツ型オムツ（その１）の着用手順を説明する為の斜視図である。
【符号の説明】
【００６８】
１３  第１の係合域
１４  第２雄型係合部材
１６  第４雄型係合部材
１７  肌側片
１８  吸収性部材
１９  吸収性コア
２０  トップシート
２１  バックシート
２８ａ  後側内装シート
２８ｂ  後側外装シート
３４  第３の係合域
４１  前身頃
４２  腹部片
４３  前身頃下方片
４４  後身頃
４５  背部片
４６  後身頃下方片
４７  後身頃下方片シート
４８  外側片
５０  パンツ型オムツ
【図１】
2005065791.tif 000003
【図２】
2005065791.tif 000004
【図３】
2005065791.tif 000005
【図４】
2005065791.tif 000006
【図５】
2005065791.tif 000007
【図６】
2005065791.tif 000008
【図７】
2005065791.tif 000009
【図８】
2005065791.tif 000010
【図９】
2005065791.tif 000011
【図１０】
2005065791.tif 000012
【図１１】
2005065791.tif 000013
【図１２】
2005065791.tif 000014
【図１３】
2005065791.tif 000015
【図１４】
2005065791.tif 000016